(57)【要約】 【課題】  転置して投影する場合においても、片手で把持して投影する場合においても、良好に映像を投影できるようにする。【解決手段】  デジタルカメラ１は、本体部３と、本体部３と回転軸により回動自在に接続され、回転軸と平行する方向を投影方向とするとともに回転軸の中心から外れた位置を投影光軸とする投影レンズ１０及び光学エンジン１６を具備するカメラ部２と、画像データを格納する記録媒体２６と、回転軸を中心に本体部３に対しカメラ部２が所定角度回動したか否かを判断する回転角度検出部２１と、所定角度回動したと判断すると、投影レンズ１０が投影すべき映像の縦横方向を切り換え、この切り換えられた縦横方向で、記録媒体２６に格納されている画像データを読み出して、前記投影レンズ１０によって投影させるよう制御する制御部２３とを備える。【選択図】  図２
2010160299.tif 000002
【特許請求の範囲】
【請求項１】
第１のケースと、
該第１のケースと回転軸により回動自在に接続され、該回転軸と平行する方向を投影方向とするとともに該回転軸の中心から外れた位置を投影光軸とする投影手段を具備する第２のケースと、
画像データを格納する格納手段と、
前記回転軸を中心に前記第１のケースに対し前記第２のケースが所定角度回動したか否かを判断する判断手段と、
この判断手段により所定角度回動したと判断すると、前記投影手段が投影すべき映像の縦横方向を切り換える切換手段と、
この切換手段によって切り換えられた縦横方向で、前記格納手段に格納されている画像データを読み出して、前記投影手段によって投影させるよう制御する投影制御手段と、
を備えたことを特徴とする投影装置。
【請求項２】
前記第２のケースは、前記回転軸と直交する方向を撮像方向とする撮像手段を更に具備し、
この撮像手段によって撮像された画像に基づく画像データを前記格納手段に格納するよう制御する格納制御手段を更に具備したことを特徴とする請求項１記載の投影装置。
【発明の詳細な説明】
【技術分野】
【０００１】
本発明は、例えば片手で把持した状態であっても映像の投影が可能な携帯型の投影装置に関する。
【背景技術】
【０００２】
近年、プロジェクター等においては、省電力化や光学的な機構の小型化に伴い、携帯可能なサイズものが考案されている。
そしてこのような携帯可能なプロジェクターにおいて、加速度センサ等を本体に備えることにより、本体の動きを検知し、この動きに応じて投影に関わる設定内容や投影すべき画像ファイルを選択することが開示されている（例えば、特許文献１参照）。
【発明の概要】
【発明が解決しようとする課題】
【０００３】
しかしながら、上記特許文献１などに開示の技術では、プロジェクター本体の動きを検知し、その検知された動きによって設定内容等を変更するため、携帯可能であったとしても投影時はデスク等の置き台に転置することが前提であり、把持した状態での投影を想定したものではない。
このため、手軽に映像を投影して楽しむという用途に不向きであると考えられる。
【課題を解決するための手段】
【０００４】
上記課題を解決するために、請求項１に記載の発明は、第１のケースと、該第１のケースと回転軸により回動自在に接続され、該回転軸と平行する方向を投影方向とするとともに該回転軸の中心から外れた位置を投影光軸とする投影手段を具備する第２のケースと、  画像データを格納する格納手段と、前記回転軸を中心に前記第１のケースに対し前記第２のケースが所定角度回動したか否かを判断する判断手段と、この判断手段により所定角度回動したと判断すると、前記投影手段が投影すべき映像の縦横方向を切り換える切換手段と、この切換手段によって切り換えられた縦横方向で、前記格納手段に格納されている画像データを読み出して、前記投影手段によって投影させるよう制御する投影制御手段と、を備えたことを特徴とする。
【０００５】
また、請求項２に記載の発明は、上記請求項１記載の発明において、前記第２のケースは、前記回転軸と直交する方向を撮像方向とする撮像手段を更に具備し、この撮像手段によって撮像された画像に基づく画像データを前記格納手段に格納するよう制御する格納制御手段を更に具備したことを特徴とする。
【発明の効果】
【０００６】
本発明によれば、転置して投影する場合においても、片手で把持して投影する場合においても、良好に映像を投影することができる。
【図面の簡単な説明】
【０００７】
【図１】本発明を適用したデジタルカメラの外観図を示す図である。
【図２】デジタルカメラの回路構成を示す図である。
【図３】デジタルカメラの動作例を示すフローチャートである。
【図４】デジタルカメラの投影時の外観を示す図である。
【図５】デジタルカメラの動作の変形例を示すフローチャートである。
【発明を実施するための形態】
【０００８】
図１は、本発明を適用したデジタルカメラ（投影装置）１の外観図を示す図であり、（Ａ）は正面図、（Ｂ）は（Ａ）においてＡから見た上面図、（Ｃ）は（Ａ）においてＢから見た側面図、（Ｄ）は背面図である。
このデジタルカメラ１は、本体部（第１のケース）３とカメラ部（第２のケース）２とからなり、カメラ部２は、本体部３に対し、図１（Ａ）において、矢印Ｂを回転軸として手前−奥方向にスイバル（回動）可能に接続され、表示部１１の表示方向と独立して、撮像部１４の撮像方向を任意に調整することができる。
また、カメラ部２には、回転軸を直交する方向を撮像方向とする撮像レンズ４、フラッシュ用光源部５、及び、回転軸と平行する方向を投影光軸とする投影レンズ１０が、回転軸よりやや上の位置にずらされて備えられている。
【０００９】
一方、本体部３には、電源キー６、シャッターキー７、出力先切換スイッチ８、板状部材９、表示部１１、モードキー１２、及び、スピーカ１３を具備している。
電源キー６は押圧操作が検出されることにより、デジタルカメラ１全体に電源を供給させ、シャッターキー７は、電源オン状態で、且つ、カメラモード、若しくは、ムービーモードといった撮影をするためのモードを実行している際に、押圧操作が検出されることにより、撮像された画像や映像をファイル化して格納させる。
また、出力先切換スイッチ８は二つの位置をスライドするスライド機構を有する。そして、再生モードにおいて、画像（映像）を表示部１１に再生表示させるか、投影レンズ１０を介して出力するかは、この切換キー８がスライドした位置に応じて決められる。
【００１０】
板状部材９は、ストラップ等のアクセサリを結わうために、図１（Ａ）、（Ｂ）において、本体部３周囲の帯状の部材を左側に延設するように、また、図１（Ｂ）において下側（つまり正面側、図１（Ｃ）においては左側）に、本体部３の厚みよりも越えたＣまで突出するように形成される。
表示部１１は、カメラモード、若しくは、ムービーモードといった撮影をするためのモードを実行している際には、撮像レンズ４を介して巡回的に撮像された画像をライブビュー表示すると共に、再生モードで且つ出力先が表示部１１である場合には、格納された画像ファイルに基づく画像（映像）データを再生表示する。
モードキー１２は三つの位置をスライドするスライド機構を有する。そして、現在のモードがカメラモード、ムービーモード、再生モードの何れかであるか、このモードキー１２がスライドした位置に応じて決められる。
スピーカ１３は、再生モードの際、再生すべきデータに音楽データが付加されている場合にはこれを出力する。
【００１１】
図２は、デジタルカメラ１の回路構成を示す図である。同図において、デジタルカメラ１は、上述の撮像レンズ４、フラッシュ用光源部５、キー入力部１９（電源キー６、シャッターキー７、出力先切換スイッチ８、及び、モードキー１２）、表示部１１、及び、スピーカ１３の他、撮像部１４、Ａ／Ｄ変換・信号処理部１５、光学エンジン１６、投影用光源部１７、表示制御部１８、音声出力部２０、回転角度検出部２１、画像処理部２２、制御部２３、プログラムメモリ２４、ワークメモリ２５、及び、記録媒体２６を具備する。
撮像部１４は、ＣＣＤやＣＭＯＳ等の撮像デバイス、及び、これら撮像デバイスを駆動制御するドライバ等からなり、撮像素子に蓄積された電荷を所定周期で掃き出し、Ａ／Ｄ変換・信号処理部１５に出力する。Ａ／Ｄ変換・信号処理部１５はアナログ情報である電荷をデジタルデータに変換しノイズ除去処理等を行って、画像処理部２２に出力する。光学エンジン１６は、ＤＭＤ素子やカラーホイールを含む画像形成素子１６１を備え、この画像形成素子１６１を制御することにより、投影すべき画像（映像）データの生成や縦横方向の変更を行う。また、投影用光源部１７はＬＥＤ等の小型で高輝度の白色の発光素子を備える。
【００１２】
表示制御部１８は、表示バッファ、表示ドライバを有し、画像処理部２２から出力された画像（映像データ）を表示部１１に出力する。
音声処理部２０は、再生すべき画像（映像データ）に音声データが付加されていた場合には、これをアナログデータに復号し、スピーカ１３から出力する。
回転角度検出部２１は、カメラ部２の本体部３に対する所定角度の回転を検出する。
画像処理部２２は、カメラモード、ムービーモードにおいて、Ａ／Ｄ変換・信号処理部１５より出力された画像データを圧縮符号化処理し、画像ファイルを生成して記録媒体２６に格納するとともに、再生モードにおいては記録媒体２６から読み出された画像ファイル（動画も含む）を復号処理し、光学エンジン１６、表示制御部１８に出力する。
制御部２３は、デジタルカメラ１が具備する回路全体を制御する機能を有する。
プログラムメモリ２４は、ロードされ制御部２３にて実行するプログラムを記憶する記憶部である。ワークメモリ２５は、制御部２３による制御の過程において生成されたデータを一時的に記憶する作業メモリとしての機能を有する。
【００１３】
図３は、デジタルカメラ１の制御部２３が行う動作例を示すフローチャートである。
先ず、スタート時（電源ＯＮ状態）において、ユーザのモードキー１２のスライド操作によりデジタルカメラ１にカメラモード、ムービーモード、再生モードの何れが設定されたかを判断する（ステップＳ１）。
そして、カメラモード、及び、ムービーモードが設定された場合は、ステップＳ１２に移行するとともに、出力先切換スイッチ８のスライド位置を判断することにより、再生モードが設定された場合には更に画像（映像、動画）の出力先として、表示部１１が選択されたのか、投影による出力が選択されたのかを判断する（ステップＳ２）。
【００１４】
ステップＳ２の判断により投影により出力が選択されると、投影用光源部１７に対し、光源を点灯させる一方、光学エンジン１６に対し動作を開始させる（ステップＳ３）。
そして、記録媒体２６に格納された画像ファイル（若しくは動画ファイル）を順次読出して画像処理部２２に入力し（ステップＳ４）、更に画像処理部２２にて復号された画像データ（動画データ）を光学エンジン１６の画像形成素子１６１へ順次出力する（ステップＳ５）。
この時、デジタルカメラ１においては、カメラ部２は本体部３に対し回転角度は０度で、且つ、本体部の背面（すなわち、表示部１１が備えられた面：図１（Ｄ）の背面図）を上面として板状部材９を手前側として把持し、投影レンズ１０から画像データを投影するものとする。
そしてこの場合、正規の画像（映像）縦横比を横：縦＝４：３とすると、本体部３の正面及び背面を横方向として画像データを投影出力する。
したがって、把持に適した状態で画像を投影出力することができる。
【００１５】
そして、回転角度検出部２１にてカメラ部２が本体部３に対し９０度回転したことを検出したか否かを判断する（ステップＳ６）。
ステップＳ６にて９０度回転したことを検出しなければ再度ステップＳ４の処理に戻るが、９０度回転したことを検出した場合には、画像処理部２２にて復号された画像データ（動画データ）を９０度回転させるとともに、デジタルカメラ１をデスク等に転置させることによる投影面の歪を考慮して画像処理を行い、光学エンジン１６の画像形成素子１６１へ順次出力する（ステップＳ７）。
この時、デジタルカメラ１においては、図４にて図示するように、カメラ部２は本体部３に対し回転角度は９０度で、板状部部材９を底面としてデスク等に転置し、投影レンズ１０から仰角Ｄで、画像データを投影するものとする。
【００１６】
そしてこの場合、正規の画像（映像）縦横比を横：縦＝４：３とすると、カメラ部２に対しては縦横比が切り替わっているものの、本体部３の正面及び背面を横方向として画像データを投影出力する。
したがって、転置においては安定した状態で画像を投影出力することができる。また、板状部材９がデスク等に接触することで本体部３は安定して転置され、本体部３表面を傷付けることが無い。
そして、ユーザのモードキー１２のスライド操作により、再生モードのモード抜けを検出したか否かを判断する（ステップＳ８）。
モード抜けを検出しない場合は、ステップＳ４の処理に戻る一方、モード抜けを検出した場合は、本フローチャートのスタートの状態にリターンする。
一方、ステップＳ２の判断により表示部１１へ出力が選択されると、記録媒体２６に格納された画像ファイル（若しくは動画ファイル）を順次読出して画像処理部２２に入力し（ステップＳ９）、更に画像処理部２２にて復号された画像データ（動画データ）を表示制御部１８へ順次出力する（ステップＳ１０）。
【００１７】
そして更に、ユーザのモードキー１２のスライド操作により、再生モードのモード抜けを検出したか否かを判断する（ステップＳ１１）。
モード抜けを検出しない場合は、ステップＳ９の処理に戻る一方、モード抜けを検出した場合は、本フローチャートのスタートの状態にリターンする。
また、ステップＳ１にてユーザのモードキー１２のスライド操作によりデジタルカメラ１にカメラモード、ムービーモードが設定されたと判断すると、撮像部１４、Ａ／Ｄ変換・信号処理部１５に対し動作を開始させ（ステップＳ１２）、撮像レンズ４、撮像部１４、及び、、Ａ／Ｄ変換・信号処理部１５を介して巡回的に撮像された画像を表示部１１にライブビュー表示し（ステップＳ１３）、シャッターキー７の押圧操作の検出があるか否かを判断する（ステップＳ１４）。
そして、シャッターキー７の押圧操作を検出すると、その時点で撮像部１４の撮像素子に蓄積された電荷を結像された画像として掃き出し、Ａ／Ｄ変換・信号処理部１５に出力、更にＡ／Ｄ変換・信号処理部１５にてデジタルデータに変換しノイズ除去処理等を行って、画像処理部２２に出力、そして、画像処理部２２は、Ａ／Ｄ変換・信号処理部１５より出力された画像データを圧縮符号化処理し、画像ファイルを生成して記録媒体２６に格納する（ステップＳ１５）。
【００１８】
尚、ムービモードの場合は、シャッターキー７の一回目の押圧操作検出により、その時点から撮像部１４の撮像素子に蓄積された電荷を結像された画像として順次掃き出し、Ａ／Ｄ変換・信号処理部１５に出力、更にＡ／Ｄ変換・信号処理部１５にてデジタルデータに変換しノイズ除去処理等を行って、画像処理部２２に順次出力、そして、画像処理部２２は、Ａ／Ｄ変換・信号処理部１５より出力された画像データをフレーム画像として順次圧縮符号化処理し記憶媒体２６に格納する。そして、シャッターキー７の二回目の押圧操作検出により、その時点まで撮像された結果得られたフレーム画像を含めた動画ファイルを生成し、記憶媒体２６の記録内容を更新する。
一方、ステップＳ１４にて、シャッターキー７の押圧操作を検出しなかった場合は、ユーザのモードキー１２のスライド操作により、カメラモード、ムービーモードのモード抜けを検出したか否かを判断する（ステップＳ１６）。
モード抜けを検出しない場合は、ステップＳ１３の処理に戻る一方、モード抜けを検出した場合は、本フローチャートのスタートの状態にリターンする。
【００１９】
（変形例）
上記実施の形態においては、出力先切換スイッチ８のスライド位置により、画像データの出力先を表示部とするか、投影による出力とするかを設定していたが、これに限ることなく、回転角度検出部２１により９０度回転したことを検出することで、表示部１１への再生出力と投影による出力とを自動的に切り換えるようにしてもよい。
図５はこの場合のデジタルカメラ１の動作例を示すフローチャートである。
先ず、スタート時（電源ＯＮ状態）において、ユーザのモードキー１２のスライド操作によりデジタルカメラ１にカメラモード、ムービーモード、再生モードの何れが設定されたかを判断する（ステップＳ１）。
【００２０】
そして、カメラモード、及び、ムービーモードが設定された場合は、ステップＳ１２に移行するとともに、出力先切換スイッチ８のスライド位置を判断することにより、再生モードが設定された場合には記録媒体２６に格納された画像ファイル（若しくは動画ファイル）を順次読出して画像処理部２２に入力する（ステップＳ２１）。そして、この後、回転角度検出部２１にて、カメラ部２が本体部３に対し９０度回転していることを検出したか否かを判断する（ステップＳ２２）。
そして、９０度回転していることを検出した場合には、投影用光源部１７に対し、光源を点灯させる一方、光学エンジン１６に対し動作を開始させ（ステップＳ２３）、画像処理部２２にて復号された画像データ（動画データ）を９０度回転させるとともに、デジタルカメラ１をデスク等に転置させることによる投影面の歪を考慮して画像処理を行い、光学エンジン１６の画像形成素子１６１へ順次出力する（ステップＳ２４）。
【００２１】
一方、ステップＳ２２にて９０度回転していることを検出しなければ、画像処理部２２にて復号された画像データ（動画データ）を表示制御部１８へ順次出力する（ステップＳ２６）。
そして、ステップＳ２４、Ｓ２６の処理中に、ユーザのモードキー１２のスライド操作により、再生モードのモード抜けを検出したか否かを判断する（ステップＳ２５）。
モード抜けを検出しない場合は、ステップＳ２１の処理に戻る一方、モード抜けを検出した場合は、本フローチャートのスタートの状態にリターンする。
【００２２】
この変形例によれば、表示部１１にて画像データを再生表示させている場合でも、図４に図示するような形状にデジタルカメラ１を変形させることで、自動的に投影するようにしたので、出力先切換スイッチ８を設ける必要が無くなり、より使い勝手を向上させることができる。
【符号の説明】
【００２３】
１      デジタルカメラ
２      カメラ部
３      本体部
８      出力先切換スイッチ
９      板状部材
１０    投影レンズ
１２    モードキー
１４    撮像部
１６    光学エンジン
２１    回転角度検出部
２２    画像処理部
２３    制御部
２４    プログラムメモリ
２６    記録媒体
１６１  画像形成素子
【先行技術文献】
【特許文献】
【００２４】
【特許文献１】特開２００８−２７５８９６号広報
【図１】
2010160299.tif 000003
【図２】
2010160299.tif 000004
【図３】
2010160299.tif 000005
【図４】
2010160299.tif 000006
【図５】
2010160299.tif 000007